(57)【特許請求の範囲】
【請求項１】
体毛の切断処理又は体毛の脱毛処理を行う体毛処理部と、体毛処理用の処理剤を吐出する処理剤供給部とを備えた体毛処理装置において、処理剤供給部は処理剤が充填される柔軟な袋からなる処理剤容器と、処理剤容器を加圧する加圧手段とを有し、該加圧手段は、柔軟性を有する袋体と、袋体内の流体を加圧して膨らませるポンプを有し、ポンプにより膨らんだ袋体により処理剤容器を直接加圧するものであることを特徴とする体毛処理装置。
【請求項２】
上記流体が空気であることを特徴とする請求項１に記載の体毛処理装置。
【請求項３】
上記ポンプをエアーポンプとし、該エアーポンプの空気を取り込む吸引口に空気を通し且つ水を通さないフィルタを設けて成ることを特徴とする請求項２に記載の体毛処理装置。
【請求項４】
上記加圧手段は処理剤容器への加圧力が一定と成ることを特徴とする請求項１〜３のいずれか１項に記載の体毛処理装置。
【請求項５】
上記加圧手段は処理剤容器への加圧力が可変自在と成ることを特徴とする請求項１〜３のいずれか１項に記載の体毛処理装置。
【請求項６】
上記加圧手段は処理剤容器内の処理剤の減少時に加圧力が増大するものであることを特徴とする請求項１〜３、５のいずれか１項に記載の体毛処理装置。
【請求項７】
上記加圧手段は処理剤容器内の処理剤の減少に伴って加圧力が漸次増大するものであることを特徴とする請求項６に記載の体毛処理装置。
【請求項８】
上記加圧手段は処理剤容器内の処理剤の減少に伴って加圧力が減少した後、増大するものであることを特徴とする請求項６に記載の体毛処理装置。
【請求項９】
上記流体の加圧により処理剤容器を加圧する加圧手段は処理剤容器を加圧するためのばね部材を有して成ることを特徴とする請求項１〜８のいずれか１項に記載の体毛処理装置。
【請求項１０】
上記流体の加圧により処理剤容器を加圧する加圧手段は処理剤容器を加圧するアクチュエータを有し、該アクチュエータをばねと該ばねで付勢されたリンク部材とで形成して成ることを特徴とする請求項１〜９のいずれかに１項に記載の体毛処理装置。
【請求項１１】
上記加圧手段を体毛処理部を備えた本体に固定して成ることを特徴とする請求項１〜１０のいずれか１項に記載の体毛処理装置。
【発明の詳細な説明】
【０００１】
【発明の属する技術分野】
本発明は、体毛処理用の処理剤の吐出機能を備えている体毛処理装置に関するものである。
【０００２】
【従来の技術】
従来から、体毛の切断処理又は体毛の脱毛処理を行う体毛処理部に処理剤容器内に充填されたシェービング液等の処理剤を吐出する機能を設けた体毛処理装置が知られている。例えば実開昭５９−１０８５７４号公報には、モータの駆動軸に接続されると共に該モータの駆動により処理剤容器から処理剤を吐出させるダイヤフラムポンプとを設けたものが示されている。
【０００３】
この体毛処理装置は体毛処理部によって体毛の脱毛処理を行う。また、モータを駆動させることで、ダイヤフラムポンプによって処理剤容器内に充填された体毛処理用の処理剤を送り出して、使用者の肌に処理剤を吐出している。
【０００４】
しかしながらこの体毛処理装置は、処理剤の吐出の際におけるモータの駆動力は駆動軸を介してダイヤフラムポンプに伝えられるため、モータの駆動力を均一にダイヤフラムポンプに伝えることができず、これによって処理剤の吐出量が安定しなかった。また、処理剤の吐出量を安定させるためにはダイヤフラムポンプの精度の高いポンプ性能が必要となり、さらにダイヤフラムポンプには耐薬品性の高いものを使用しなければならず、加えて液漏れに対する密閉性能が必要であるため、構造が複雑化し、商品コストが高くなり、また体毛処理装置が大型化して使い勝手が悪いという問題があった。
【０００５】
【発明が解決しようとする課題】
本発明は上記の点に鑑みてなされたものであり、その目的とするところは、安定した処理剤の吐出量を実現し、且つ安価で小型の体毛処理装置を提供することを課題とするものである。
【０００６】
【課題を解決するための手段】
上記課題を解決するために本発明の請求項１に係る体毛処理装置は、体毛の切断処理又は体毛の脱毛処理を行う体毛処理部６と、体毛処理用の処理剤を吐出する処理剤供給部とを備えた体毛処理装置において、処理剤供給部は処理剤が充填される柔軟な袋からなる処理剤容器３と、処理剤容器３を加圧する加圧手段４とを有し、、該加圧手段４は、柔軟性を有する袋体と、袋体内の流体を加圧して膨らませるポンプを有し、ポンプにより膨らんだ袋体により処理剤容器３を直接加圧するものであることを特徴とするものである。
【０００７】
このように流体の加圧により処理剤容器３を加圧することで、流体によって均一に処理剤容器３を加圧することができ、これによって処理剤の吐出量を安定させることができる。また、加圧手段は流体を充填するための袋体と、袋体を加圧するためのポンプとを有することで、簡単な構造で流体を加圧することが可能となる。また、上記袋体は可撓性を有する柔軟なものであるので、袋体を加圧することで袋体が膨らんで処理剤容器３を加圧できるようになり、処理剤容器３の形状に関わらず処理剤を加圧することができ、より一層処理剤の吐出量が安定する。また、柔軟な袋体を構造が複雑な箇所に配置することができ、より一層体毛処理装置の小型化が図れる。
【０００８】
また、請求項２記載の体毛処理装置は請求項１記載の体毛処理装置において、上記流体が空気であることを特徴とするものである。
【０００９】
流体を空気とすることで、加圧手段４に液漏れを防止するための複雑な構造を設ける必要がなくなる。
【００１０】
また、請求項３記載の体毛処理装置は請求項２に記載の体毛処理装置において、上記ポンプをエアーポンプ４９とし、該エアーポンプ４９の空気を取り込む吸引口４９３に空気を通し且つ水を通さないフィルタ４９６を設けて成ることを特徴とするものである。
【００１１】
フィルタ４９６を設けることで、体毛処理装置を水洗いした場合、エアーポンプ４９から流体室４６に水が入ることを防止することができる。
【００１２】
また、請求項４記載の体毛処理装置は請求項１〜３のいずれか１項に記載の体毛処理装置において、上記加圧手段４は処理剤容器３への加圧力が一定と成ることを特徴とするものである。
【００１３】
処理剤容器３への加圧力を一定とすることで、処理剤の吐出量を一定とすることができ、使用者の肌に常時一定量の処理剤を供給することができる。
【００１４】
また、請求項５記載の体毛処理装置は請求項１〜３記載のいずれか１項に記載の体毛処理装置において、上記加圧手段４は処理剤容器３への加圧力が可変自在と成ることを特徴とするものである。
【００１５】
処理剤容器３への加圧力を可変自在とすることで、使用者に適した処理剤の吐出量が得られることとなる。
【００１６】
また、請求項６記載の体毛処理装置は請求項１〜３、５のいずれか１項に記載の体毛処理装置において、上記加圧手段４は処理剤容器３内の処理剤の減少時に加圧力が増大するものであることを特徴とするものである。
【００１７】
このように処理剤の減少時に加圧力が増大するように設定することで、処理剤容器３内の処理剤の残量が減った時に吐出量が減少してしまうことを避けることができ、体毛処理を常に快適に行うことができる。
【００１８】
また、請求項７記載の体毛処理装置は請求項６記載の体毛処理装置において、上記加圧手段４は処理剤容器３内の処理剤の減少に伴って加圧力が漸次増大するものであることを特徴とするものである。
【００１９】
これにより、残量が殆どない状態でも所要の吐出量を確保することができる。
【００２０】
また、請求項８記載の体毛処理装置は請求項６記載の体毛処理装置において、上記加圧手段４は処理剤容器３内の処理剤の減少に伴って加圧力が減少した後、増大するものであることを特徴とするものである。
【００２１】
これにより、残量が殆どない状態でも所要の吐出量を確保することができる。
【００２２】
また、請求項９記載の体毛処理装置は請求項１〜８のいずれか１項に記載の体毛処理装置において、上記流体の加圧により処理剤容器３を加圧する加圧手段４は処理剤容器３を加圧するためのばね部材４１を有して成ることを特徴とするものである。
【００２３】
このような構成とすることで、ばね力の補助によって流体による加圧力を少なくすることができ、流体を加圧する駆動力の低減を図ることが可能となる。
【００２４】
また、請求項１０記載の体毛処理装置は請求項１〜９のいずれか１項に記載の体毛処理装置において、上記流体の加圧により処理剤容器３を加圧する加圧手段４は処理剤容器３を加圧するアクチュエータ４２を有し、該アクチュエータ４２をばね４２０と該ばね４２０で付勢されたリンク部材４２１、４２２とで形成して成ることを特徴とするものである。
【００２５】
アクチュエータ４２を設けることで、アクチュエータ４２の補助によって流体による加圧力を少なくすることができ、流体を加圧する駆動力の低減を図ることが可能となり、さらにアクチュエータ４２によって所要の加圧荷重特性を得ることができる。
【００２６】
また、請求項１１記載の体毛処理装置は請求項１〜１０のいずれか１項に記載の体毛処理装置において、上記加圧手段４を体毛処理部を備えた本体１に固定して成ることを特徴とするものである。
【００２７】
このように加圧手段４を本体１に固定することで、処理剤容器３交換の際に加圧手段を取り外す必要が無くなる。
【００２８】
【発明の実施の形態】
以下、本発明を添付図面に示す実施形態に基づいて説明する。本実施形態の体毛処理装置は、体毛（髭）の切断を行う電気かみそりであって、体毛の切断処理を行う体毛処理部６を具備する本体１と、この本体１の外面に着脱もしくは開閉自在に配されているカバー２と、体毛処理用の処理剤が充填されている処理剤容器３と、該処理剤容器３を加圧して処理剤を本体１の体毛処理部６の近傍に位置させた吐出部５から吐出させる加圧手段４とで構成されている。
【００２９】
まず本体１から説明すると、この本体１は図１〜５に示すように筒状のハウジング１０内に駆動用モータ１１と電源としての電池１２とをシャーシ１８を介して収納したもので、その上端に位置する体毛処理部６は、ネット状の外刃と往復駆動される内刃とからなるネット刃６１を２組備えるとともに、スリット状の外刃と往復駆動される内刃とからなるスリット刃６２を１組備えたものとなっており、これらにおける各内刃は、モータ１１の回転を往復動に変換する駆動子１４，１４とスリット刃用駆動子１５とに連結されている。図中１９はモータ１１のオンオフ用のスイッチである。
【００３０】
上記本体１の一面には図６に示すようなカバー２が着脱自在に配されているとともに、本体１とカバー２との間の空間の上部に吐出部５が配設され、下部に加圧手段４と処理剤容器３とが配設されている。
【００３１】
ここにおける処理剤容器３は、柔軟性を有する縦長の袋で形成したもので、その上端には接続口３０を備えている。
【００３２】
また、本例における加圧手段４は流体の加圧により処理剤容器３を加圧するものとなっており、流体を充填するための流体室４６と、流体室４６を加圧するためのポンプとからなる。
【００３３】
詳述すると加圧手段４は空気を充填するための可撓性を有する柔軟な袋体で形成された流体室４６と、流体室４６を加圧するためのエアーポンプ４９とで構成されており、この流体室４６とエアーポンプ４９は処理剤容器３の内側に配設されている。つまり、処理剤容器３、流体室４６、エアーポンプ４９はカバー２と本体１との間の下部の一定容積の空間に配設されていることとなり、エアーポンプ４９により流体室４６を加圧することで、流体室４６を膨らませ、処理剤容器３を加圧することができる。
【００３４】
エアーポンプ４９は図７に示すように流体室４６の上端に設けられており、本体１にねじ４９２で固定されている。エアーポンプ４９を本体１に固定することで、処理剤容器３を交換する際にエアーポンプ４９を処理剤容器３と一緒に取り外す必要が無く便利である。また、このエアーポンプ４９は上端に空気を取り込むための開閉自在な吸引口４９３と、空気を排出するための開閉自在な排出口４９４とを有している。エアーポンプ４９には定加圧弁（図示せず）のような定加圧手段が設けられており、これにより流体室４６を一定の圧力で加圧し、処理剤容器３への加圧力を一定なものとしている。なお、この定加圧手段は流体室４６に設けても良いものとする。
【００３５】
エアーポンプ４９に設けられた吸引口４９３には市販されているミクロテックス等の空気を通し且つ水を通さないフィルタ４９６を設けている。フィルタ４９６を設けることで、体毛処理装置を水洗いした場合、エアーポンプ４９から流体室４６に水が入ることを防止することができ、便利である。
【００３６】
エアーポンプ４９は本体１内の制御駆動回路を実装した基板１３にリード線４９５を介して接続されており、基板１３により以下に示すように電気的に制御されている。
【００３７】
基板１３は、前述したスイッチ１９をＯＮにすることで、エアーポンプ４９を駆動して流体室４６を加圧し、且つスイッチ１９をＯＦＦにすることで、エアーポンプ４９を停止するように設定されている。エアーポンプ４９駆動時には吸引口４９３を開くと共に排出口４９４を閉じるように設定されており、これにより処理剤容器３は常時加圧された状態となり、またエアーポンプ４９停止時には吸引口４９３及び排出口４９４を共に閉じ、エアーポンプ４９の運転を停止させるよう設定されており、これによって流体室４６内を一定圧力の状態に維持する。なおエアーポンプ４９駆動の切換えはスイッチ１９とは連動させずに独立させても良く、例えば体毛処理装置にエアーポンプ４９の駆動を切換える切換えスイッチを設けても良いものである。また、上記の排出口４９４は手動により開閉自在となっており、加圧により膨らんだ流体室４６内の空気を抜いて減圧し、流体室４６を縮ませて処理剤容器３を交換する際に充分に処理剤を充填させた処理剤容器３をカバー２と流体室の間に配置させることが可能となっている。もちろん排出口４９４の開閉手段はこれに限定されるものではなく、例えば本体１に排出口４９４を開閉する開閉切換えスイッチを設けても良いし、また流体室４６の圧力を検知する圧力検知手段を設け、圧力検知手段によって検知した圧力が一定圧力を超えた場合、自動的に排出口４９４を開くように基板１３を設定したりしても良いものである。
【００３８】
吐出部５は図６、８、９に示すように、ベース部５７と、このベース部５７の側面の弧状溝５７２にスライド係合するリブ５０１を備えているヘッド部５０と、ベース部５７とヘッド部５０との間に配されてヘッド部５０を上方に向けて付勢するばね５５，５５と、ヘッド部５０内に上下動自在に配されている可動体５２と、ヘッド部５０の下部に固定されている受け部材５４と、受け部材５４の接続口５４０と上記ベース部５７との間をつないでる可撓性を有するチューブ５６と、ヘッド部５０の上端面に設けた複数の吐出口５００に夫々配したボール５１とからなるもので、吐出口５００の上端開口径ｄ１はボール５１の直径Ｄより小さく、且つ吐出口５００の下部開口径ｄ２はボール５１の直径Ｄより大きくされており、受け部材５４との間に配されたばね５３によって上方に向けて付勢されている上記可動体５２によって、上記の各ボール５１が回転自在に受けられている。
【００３９】
また可動体５２の下方に突出する軸部５２０は受け部材５４を貫通して接続口５４０の下方に突出しているのであるが、この軸部５２０の下端部には逆止弁５２１として機能することになるＯリングが装着されている。図中５４１は受け部材５４の外周とヘッド部５０の内周との間のシール用のＯリング、５６０は屈曲自在なゴム体で形成されて上記チューブ５６の中に配されることでチューブ５６内の流路断面積を小さくしているチューブ芯、５６１はベース部５７内に配されてベース部５７における下部の接続口５７０からチューブ５６に至る内部流路の断面積を絞って処理剤の流量を一定にする中空パイプ、５７１は処理剤容器３の接続口３０が着脱自在に接続される接続口５７０の外周に装着されて、接続口３０との間のシールを行うＯリングである。
【００４０】
この吐出部５においては、ベース部５７に対してヘッド部５０がばね５５によって上方へ付勢されており、さらにヘッド部５０に対して可動体５２及びボール５１が上方へ付勢されており、この状態では上記逆止弁５２１が閉じているとともにボール５１が吐出口５００を閉じているが、ヘッド部５０の上端を肌に押し付ければ、図１０に示すようにボール５１及び可動体５２がばね５３に抗して沈んで吐出口５００を開くとともに逆止弁５２１を開くものであり、このために上記加圧手段４で加圧されている処理剤容器３内の処理剤は、接続口３０からベース部５７内とチューブ５６内を通り、開いている逆止弁５２１並びにヘッド部５０内面と可動体５１の溝が形成されている外面との間の空間を通じて吐出口５００から外部に吐出される。さらに強くヘッド部５０の上端を肌に押し当てれば、ヘッド部５０がばね５５に抗して沈み込むフロート動作がなされる。
【００４１】
加圧手段４はエアーポンプ４９駆動時においては処理剤容器３を常時加圧していることから、処理剤は常に押し出されて吐出部５のヘッド部５０に向かうものの、ヘッド部５０の上端面を肌に押し当てないことには処理剤の吐出がなされないものである。また、上向きだけでなく下向きや横向きに使用されても処理剤の吐出量は変化せず、処理剤を均一に肌に塗布することができるものとなっている。なお、図２，図８及び図１１に示した調節ねじ２９は処理剤の吐出量の調整用のもので、その先端は吐出部５のベース部５７の内部流路内に突出している。
【００４２】
上記により、体毛処理装置は図３、４に示すように処理剤容器３に処理剤が十分充填された状態から、図１２、１３に示すように処理剤容器３内の処理剤がすべて吐出された時点での状態までの間、ヘッド部５０を肌に押し当てることで処理剤を吐出可能な状態となっている。
【００４３】
処理剤容器３の交換は、カバー２における着脱釦２０をばね付勢に抗して押して本体１との係合を解除することでカバー２を取り外し、古い処理剤容器３を取り外した後、新しい処理剤容器３の接続口３０を吐出部５の接続口５７０に接続し、カバー２を再度装着することで行う。処理剤容器３から吐出口５００に至る流路の全容積及び流路断面積は小さくされているために、吐出部５の内部への無駄な処理剤の滞留量は少なく、このために初めて処理剤容器３を装填して使用する時にも処理剤の吐出はすぐになされる。
【００４４】
ところで、上記のように流体の加圧により処理剤容器３を加圧する加圧手段４を設けたのは次の理由によるものである。すなわち、流体の加圧により処理剤容器３を加圧することで、エアーポンプ４９の駆動力は流体を介して処理剤容器３へと伝わることとなるため、処理剤容器３を均一な力で加圧することができ、これによって処理剤の吐出量を安定させることができ、また従来のようにポンプを複雑な構造とする必要がなく、体毛処理装置の小型化とコストの削減が図れる。
【００４５】
特に上記流体を空気とすることで、体毛処理装置に液漏れを防止するための複雑な構造が必要がなく、さらに体毛処理装置の小型化とコストの削減が図れる。
【００４６】
加圧手段４は流体を充填するための流体室４６と、流体室４６を加圧するためのポンプとを有しているので簡単な構造で流体を加圧することが可能となる。
【００４７】
流体室４６は可撓性を有する柔軟な袋体で形成されているので、流体室４６の加圧によって流体室４６が膨らみ、この流体室４６の膨らみによって処理剤容器３を加圧できるので、処理剤容器３の形状に関わらず処理剤を加圧することができ、より一層処理剤の吐出量が安定する。さらに柔軟な流体室４６を構造が複雑な箇所に配置することができるため、より一層体毛処理装置の小型化が図れる。
【００４８】
加圧手段４の処理剤容器３への加圧力は一定となっているため、処理剤の吐出量を一定とすることができ、これによって使用者の肌に常時一定量の処理剤を供給することができる。
【００４９】
また、上記では加圧手段４による処理剤容器３への加圧力は一定としたが処理剤容器３への加圧力が可変自在となるように設定することも好ましい。すなわち、体毛処理装置にエアーポンプ４９の加圧力を手動により調節することができる加圧力調節つまみ（図示せず）を設け、このつまみを加圧力調節手段とする。このように加圧力調節手段を設けることで、エアーポンプ４９の加圧力を手動により変更し、エアーポンプ４９から流体への加圧力を使用者が調節することができ、これによって処理剤容器３への加圧力を可変自在とし、使用者に適した処理剤の吐出量が得られることとなる。
【００５０】
ところで上記のように処理剤容器３が柔軟な材質であるために、図１４に示すように、処理剤容器３に皺３３が発生して、図１５(a)に示すように皺３３の周辺の処理剤を加圧することができなくなることがある。これによって上記のように処理剤容器３の加圧力を一定としても処理剤の吐出量が一定とならず、また吐出量が安定しない場合がある。
【００５１】
そこで、上記加圧手段４は処理剤容器３内の処理剤の減少時に加圧力が増大するものであることが好ましい。
【００５２】
すなわち、処理剤の容量を検知する処理剤容量検知手段を設け、上記加圧手段４をこの処理剤容量検知手段によって検知した処理剤の容量が減少した際に流体室４６の加圧力が増大するよう制御を行うように基板１３を設定する。このように処理剤の減少時に加圧力が増大するように設定することで、処理剤容器３内の処理剤の残量が減った時に処理剤容器３の皺３３によって吐出量が減少してしまうことを避けることができ、体毛処理を常に快適に行うことができる。なお、この場合の処理剤容量検知手段とは、例えば処理剤容器３交換時点からのエアーポンプ４９の回転数や駆動時間に基づいて処理剤の容量を検知して行うものである。また、上記加圧手段４は処理剤容器３内の処理剤の減少に伴って加圧力が漸次増大するものであっても、一定量の処理剤が吐出した後に加圧力が増大するものであっても、処理剤の減少に伴って加圧力が減少した後、増大するものであっても良いものである。
【００５３】
また、図１６〜１９に示すように加圧手段４を、上記流体室４６及びエアーポンプ４９と、ばねを利用した一対のアクチュエータ４２，４２と、カバー２の内面との間で処理剤容器３を挟持すると共にアクチュエータ４２、４２及び流体室４６と処理剤容器３との間に位置する押さえ板４０とで構成することが好ましい。すなわち、本体１の外面と押さえ板４０との間に配されたこれら流体室４６及びアクチュエータ４２，４２による付勢で押さえ板４０はカバー２の内面側に向けて加圧されており、このためにカバー２と押さえ板４０との間に処理剤容器３を配した時、処理剤容器３は常に加圧された状態となる。なお、上記押さえ板４０は図１８に示すように、処理剤容器３の幅よりも大きく且つ本体１に対する位置決め係止部１０５，１０６も処理剤容器３の外側にくるようにしておくことが好ましい。処理剤容器３内の処理剤の残量を少なくすることができるからである。同様の理由で押さえ板４０の処理剤容器３に接する面は、カバー２の内面と同じ形状としてある。
【００５４】
上記アクチュエータ４２は、図２０に示すように、両端が本体１への固定部４２７、４２７に固定されたガイド軸４２４と、このガイド軸４２４に被せられたコイルばね型のばね４２０と、一端が一方の固定部４２７に連結されたリンク４２１と、一端が上記ガイド軸４２４に沿ってスライドするスライダー４２６に連結されるとともに他端が上記リンク４２１の他端に連結されたリンク４２２とを備えるとともに、リンク４２１，４２２同士を連結する連結軸４２３を左右一対のアクチュエータ４２，４２で共有しているもので、ばね４２０によるスライダー４２６の付勢で連結軸４２３が押さえ板４０側に突出するものとなっている。
【００５５】
上記アクチュエータ４２であれば、図２１に示すように、押さえ板４０を押す力ｆはばね４２０のばね力Ｆに対してｆ＝２Ｆtanθとなって、ばね４２０が伸びて角度θが大きくなるほど加重ｆを大きくすることができる。
【００５６】
なお、アクチュエータ４２は図２２に示すように単独で用いてもよいのであるが、押さえ板４０の幅方向中央を押すことが好ましいことを考えると、流体室４６の配置との関係で配置スペースを確保することが難しい上に、充分な強度や機能（ばね加重値を含む）を持たせることが困難となる。このためにここでは２つのアクチュエータ４２を左右に配して、連結軸４２３で押さえ板４０を押す構成をとっている。なお、ここにおける連結軸４２３は、左右のアクチュエータ４２，４２におけるリンク４２２，４２２と一体の部品として形成することで、部品数の削減及び強度の向上を図っている。
【００５７】
アクチュエータ４２におけるスライダー４２６は、ばね４２０の力でリンク４２１がスムーズに動くようにしてばね加重のロスを低減する。また、図２０、２２，２３中のストッパー４２５は、リンク４２１，４２２の作動範囲を処理剤の吐出に必要な範囲に制限（連結軸４２３の突出量を規制）することで、新しい処理剤容器３に交換してカバー２を装着する際の加圧手段４に抗する力が大きくなりすぎることがないようにしているものである。
【００５８】
このようにアクチュエータ４２を設けることで、前述したような処理剤容器３内の処理剤の減少時に加圧力が増大させるような所要の加圧荷重特性を簡単に得ることができる。
【００５９】
また、前述したように処理剤容器３内の処理剤の量が減少した場合、処理剤容器３に皺３３が発生してしまうのだが、このアクチュエータ４２を設けた例のように流体の加圧力を押さえ板４０を介して処理剤容器３に伝えた場合、図１５（ａ）に示すように押さえ板４０が皺３３の部分しか加圧することができず、処理剤容器３の全面を加圧することができない。そこで、押さえ板４０の処理剤容器３側の表面（接触面）に弾性部材４８を取り付けておくことが好ましい。弾性部材４８を設けることで、図１５（ｂ）に示すように、皺３３の存在にも関わらず処理剤容器３の表面を満遍なく加圧することが可能となり、処理剤を有効に吐出することができる。なお、この弾性部材４８は押さえ板４０の表面にではなく、カバー２の内面側に設けることで処理剤容器３のカバー２側に皺３３ができた場合に備えてカバー２で処理剤容器３のカバー２側の面を加圧できるようにしても良いし、もちろん、押さえ板４０とカバー２の両方に弾性部材４８を取り付けて、処理剤容器３の両面に弾性部材４８，４８が接するようにしてもよい。また、処理剤容器３を柔軟な材質で形成し、且つ柔軟な袋体で形成した流体室４６によって直接処理剤容器３を加圧する場合においては、図１５（ｃ）に示すように処理剤容器３の皺３３によらず加圧することが可能となり、処理剤容器３の全面を加圧することができるのだが、この柔軟な袋体で形成した流体室４６と処理剤容器３との接触面に流体室４６よりもさらに柔軟な弾性部材４８を設けることで、より一層処理剤容器３の全面を加圧することが可能となる。
【００６０】
また、加圧手段４は処理剤容器３を加圧するためのばね部材４１を有していることが好ましい。すなわち、図２４に示すように加圧手段４を、上記流体室４６及びエアーポンプ４９と、流体室４６の内面に位置する押さえ板４０と、該押さえ板４０を加圧する押さえ板４０の内面側に設けられたばね部材４１とで構成している。このばね部材４１により、本体１の外面と押さえ板４０との間に配された流体室４６をカバー２側へばね付勢し、且つこの流体室４６で処理剤容器３を加圧することができ、カバー２と流体室４６との間に処理剤容器３を配した時、処理剤容器３は常に加圧された状態となる。
【００６１】
このように加圧手段４にばね部材を構成することで、ばね力の補助によって流体による加圧力を少なしてエアーポンプ４９の駆動負荷を少なくでき、これによりエアーポンプの運転が安定し、より一層処理剤の吐出量を安定させることができ、加えてより一層エアーポンプ４９を小型化したりコスト削減を行ったりすることができる。
【００６２】
ところで、上記のようにばね部材４１で流体室４６へ加圧を行った場合、処理剤容器３の加圧は処理剤容器３内の処理剤の量が多い初期には加圧手段４（ばね部材４１）による加圧加重が高く、処理剤の量が減少するにつれて加圧加重が低くなり、そして、処理剤の吐出量は加圧加重が高いほど多くなることから、上記構成では初期の吐出量が多く、処理剤が減少するにつれて吐出量が少なくなる。そこで特に、流体による処理剤容器３への加圧に加えて、ばね部材４１による処理剤容器３への加圧と、前述したアクチュエータ４２による処理剤容器３への加圧とを組み合わせることが好ましい。なお、この場合、上記アクチュエータ４２だけを設けた例のように、カバー２側から順に、処理剤容器３、押さえ板４０、流体室４６及びアクチュエータ４２及びばね部材４１と配置しても良いし、上記ばね部材４１だけを設けた例のようにカバー２側から順に処理剤容器３、流体室４６、押さえ板４０、ばね部材及びアクチュエータ４２と配置しても良いものとする。
【００６３】
このようにばね部材４１による処理剤容器３への加圧と、上記アクチュエータ４２による処理剤容器３への加圧とを組み合わせることで、初期加重を大きくして処理剤容器３の加圧に備えるとともに処理剤の容量減少につれてアクチュエータ４２による加圧加重の補助（図２５のハッチング部）が作用して処理剤の吐出量の減少を防ぐ構成とすることで、処理剤の残容量にかかわらず、一定量の処理剤の吐出を行うことができるものとなる。さらに図２６に示すように、処理剤容器３内の処理剤の減少に伴って加圧力が漸次増大する（ａ)のようにしたり、処理剤の容量が減少するにつれて加重がいったん小さくなった後に増大する(ｂ)のように設定することも可能となる。このように設定することで残量が殆どない状態でも所要の吐出量を確保することができる。
【００６４】
以上の例では本体１が髭剃り用の体毛処理部６を備えたものを示したが、図２７に示すように、モータ７５によって回転駆動される脱毛ブロック７０に開閉駆動される脱毛爪７１を設けた脱毛用の体毛処理部７を備えたものであってもよい。
【００６５】
次に上記実施形態とは異なり、流体室４６を箱体で形成した参考例について説明する。なお上記実施形態と同一の構成については同一の番号を付与してあり、重複する説明については説明を省略する。
【００６６】
本参考例におけるカバー２の下端には図２８に示すように本体１側に突出する覆い板２１が設けられており、この覆い板２１により本体１とカバー２との間の空間の下端部開口を覆っている。なお、覆い板２１は開閉自在に設けられていても良いものとする。カバー２と本体１との間の下部には中空の箱体で形成された流体室４６が配置されている。流体室４６の天板部４６０には上端が天板部４６０よりも上方に位置する連結口４６２が設けられており、該連結口４６２の上端に接続した接続口４６３はベース部５７下部の接続口５７０の外周に装着している。連結口４２３の下端は天板部４６０よりも下方に位置しており、該連結口４６２の下端には流体室４６に内装した処理剤容器３の上端開口部３１が取付け自在に接続されている。この場合、処理剤容器３には接続口３０は設けられていない。これにより処理剤容器３は、流体室４６の連結口４６２、接続口４６３、を介してベース部５７内とチューブ５６内に連通し、すなわち、処理剤容器３と吐出口５００とが連通することとなる。流体室４６内の処理剤容器３の外面（カバー２側の面）には前後方向（図２８中に示す矢印の方向）に移動自在の押さえ板４０が設けられている。流体室４６内はこの押さえ板４０によって処理剤容器３側の空間と、カバー２側の空間とに区切られており、該カバー２側の空間は流体である空気が充填されるエアー室４６４となっている。押さえ板４０の上端面と流体室４６の天板部４６０下面、押さえ板４０の下端面と底板部４６１上面との間は押さえ板４０の上下端部に設けられたゴム等で形成されたＯリング４３、４３によって密閉されており、これによりエアー室は密閉された空間となっている。底板部４６１のカバー２側端部にはチューブ４９０の一端が接続されており、該チューブ４９０の他端は本体１下端部に設けられたエアーポンプ４９に接続されている。これにより、流体室４６内のエアー室のみをエアーポンプ４９で加圧することが可能となる。なおこのエアーポンプ４９は上記実施形態と同様の構成を有しているものとする。流体室４６の底板部４６１は開閉自在となっており、底板部４６１を開くことで、処理剤容器３を流体室４６の連結口４６２から取り外して交換することができる。
【００６７】
上記構成の体毛処理装置において、処理剤容器３を加圧する際は、エアーポンプ４９を駆動することで行う。すなわち、エアー室４６４内を加圧することで、押さえ板４０は処理剤容器３側へ移動して処理剤容器３を加圧することになる。またエアー室４６４を減圧する場合は、底板部４６１を開くことで行われ、これにより交換直後の処理剤が充分充填された処理剤容器３を流体室４６内に配置することが可能となる。
【００６８】
このように流体室４６を箱体で形成し、該流体室４６に処理剤容器３を内装することで、押さえ板４０にかかる流体の圧力は均一となり、これにより処理剤容器３への加圧もより一層均一となって処理剤の吐出量を安定することが可能となる。
【００６９】
また、図２９に示すように流体室４６全体をエアー室４６４とし、流体室４６内に押さえ板４０を設けず、処理剤容器３のみを配設することも好ましい。なお、この場合、上記流体室４６に押さえ板４０を設けた例と同一の構成については同一の番号を付与してあり、重複する説明については説明を省略する。このように構成することで、流体の圧力を直接処理剤容器３に伝えることができ、尚且つこの流体の圧力は処理剤容器３全体に伝えることができ、これによってより一層処理剤容器３にかかる圧力が均一なものとなり、処理剤の吐出量を安定させることができる。
【００７０】
【発明の効果】
上記のように本発明の請求項１記載の発明にあっては、流体によって均一な力で処理剤容器を加圧することができ、これによって処理剤の吐出量を安定させることができる。また従来のように処理剤の吐出量を安定させるために、体毛処理装置を複雑な構造にする必要がなく、体毛処理装置の小型化とコストの削減が図れる。加圧手段は流体を充填するための袋体と、流体室を加圧するためのポンプとを有することで、簡単な構造で流体を加圧することが可能となる。また袋体を可撓性を有する柔軟なものとすることで、袋体の加圧によって流体室が膨らみ、この袋体の膨らみによって処理剤容器加圧できるので、処理剤容器の形状に関わらず処理剤を加圧することができ、より一層処理剤の吐出量が安定する。さらに柔軟な流体室を構造が複雑な箇所に配置することができるため、より一層体毛処理装置の小型化が図れる。
【００７１】
また、請求項２記載の発明にあっては、上記請求項１記載の発明の効果に加えてので、流体を空気とすることで、加圧手段に液漏れを防止するための複雑な構造を設ける必要がなく、さらに体毛処理装置の小型化とコストの削減が図れる。
【００７２】
また、請求項３記載の発明にあっては、上記請求項２に記載の発明の効果に加えて、エアーポンプの空気を取り込む吸引口に空気を通し且つ水を通さないフィルタを設けることで、体毛処理装置を水洗いした際にポンプから流体室に水が入ることを防止することができ便利である。
【００７３】
また、請求項４記載の発明にあっては、上記請求項１〜３のいずれか１項に記載の発明の効果に加えて、加圧手段の処理剤容器への加圧力を一定とすることで、処理剤の吐出量を一定とすることができ、これによって使用者の肌に常時一定量の処理剤を供給することができ使用が快適になる。
【００７４】
また、請求項５記載の発明にあっては、上記請求項１〜３のいずれか１項に記載の発明の効果に加えて、加圧手段による処理剤容器への加圧力を可変自在とすることで、使用者に適した処理剤の吐出量が得られることとなる。
【００７５】
また、請求項６記載の発明にあっては、上記請求項１〜３、５のいずれか１項に記載の発明の効果に加えて、処理剤の減少時に加圧力が増大するように設定することで、処理剤容器内の処理剤の残量が減った時に吐出量が減少してしまうことを避けることができ、体毛処理を常に快適に行うことができる。
【００７６】
また、請求項７記載の発明にあっては、上記請求項６記載の発明の効果に加えて、処理剤容器内の処理剤の減少に伴って加圧力が漸次増大するものであるため、残量が殆どない状態でも所要の吐出量を確保することができる。
【００７７】
また、請求項８記載の発明にあっては、上記請求項６記載の発明の効果に加えて、処理剤容器内の処理剤の減少に伴って加圧力が減少した後、増大するものであるため、残量が殆どない状態でも所要の吐出量を確保することができる。
【００７８】
また、請求項９記載の発明にあっては、上記請求項１〜８のいずれか１項に記載の発明の効果に加えて、ばね力の補助によって流体による加圧力を少なくすることができ、流体を加圧する駆動力の低減を図ることが可能となり、体毛処理装置のコスト削減と小型化につながる。
【００７９】
また、請求項１０記載の発明にあっては、上記請求項１〜９のいずれか１項に記載の発明の効果に加えて、アクチュエータを設けることで、アクチュエータの補助によって流体による加圧力を少なくすることができ、流体を加圧する駆動力の低減を図ることが可能となり、尚且つアクチュエータによって所要の加圧荷重特性を簡単に得ることができる。
【００８０】
また、請求項１１記載の発明にあっては、上記請求項１〜１０のいずれか１項に記載の発明の効果に加えて、加圧手段を本体に固定することで、処理剤容器交換の際に加圧手段を取り外す必要が無く便利である。
【図面の簡単な説明】
【図１】  本発明の実施形態を示す縦断面図である。
【図２】  同上の側面図である。
【図３】  同上の正面図である。
【図４】  同上の水平断面図である。
【図５】  同上の本体部の分解斜視図である。
【図６】  同上の処理剤吐出関係部材の分解斜視図である。
【図７】  同上の体毛処理装置の一部破断正面図である。
【図８】  同上の吐出部の分解斜視図である。
【図９】  同上の吐出部の横断面図である。
【図１０】  同上の吐出部の処理剤吐出時の横断面図である。
【図１１】  同上の吐出部の縦断面図である。
【図１２】  同上の縦断面図である。
【図１３】  同上の水平断面図である。
【図１４】  （ａ）は処理剤容器の斜視図、（ｂ）は処理剤容器の要部拡大図である。
【図１５】  （ａ）は加圧時の断面図、（ｂ）は弾性材を併用した場合の加圧時の断面図、（ｃ）は押さえ板を設けない場合の加圧時の断面図である。
【図１６】  同上の本体部の分解斜視図である。
【図１７】  同上の縦断面図である。
【図１８】  同上の水平断面図である。
【図１９】  同上の縦断面図である。
【図２０】  同上のアクチュエータの斜視図である。
【図２１】  同上のアクチュエータの説明図である。
【図２２】  アクチュエータの他例の斜視図である。
【図２３】  同上のアクチュエータの分解斜視図である。
【図２４】  同上の水平断面図である。
【図２５】  加圧手段全体としての加圧荷重の特性図である。
【図２６】  加圧手段全体としての加圧荷重の特性図である。
【図２７】  他の実施の形態の一例を示す縦断面図である。
【図２８】  参考例を示す縦断面図である。
【図２９】  他の参考例を示す縦断面図である。
【符号の説明】
１  本体
３  処理剤容器
４  加圧手段
４１  ばね部材
４２  アクチュエータ
４２０  ばね
４２１  リンク
４２２  リンク
４６  流体室
４８  弾性部材
４９  エアーポンプ
４９６  フィルタ
６  体毛処理部
【図１】
0004144255.tif 000002
【図２】
0004144255.tif 000003
【図３】
0004144255.tif 000004
【図４】
0004144255.tif 000005
【図５】
0004144255.tif 000006
【図６】
0004144255.tif 000007
【図７】
0004144255.tif 000008
【図８】
0004144255.tif 000009
【図９】
0004144255.tif 000010
【図１０】
0004144255.tif 000011
【図１１】
0004144255.tif 000012
【図１２】
0004144255.tif 000013
【図１３】
0004144255.tif 000014
【図１４】
0004144255.tif 000015
【図１５】
0004144255.tif 000016
【図１６】
0004144255.tif 000017
【図１７】
0004144255.tif 000018
【図１８】
0004144255.tif 000019
【図１９】
0004144255.tif 000020
【図２０】
0004144255.tif 000021
【図２１】
0004144255.tif 000022
【図２２】
0004144255.tif 000023
【図２３】
0004144255.tif 000024
【図２４】
0004144255.tif 000025
【図２５】
0004144255.tif 000026
【図２６】
0004144255.tif 000027
【図２７】
0004144255.tif 000028
【図２８】
0004144255.tif 000029
【図２９】
0004144255.tif 000030